(57)【要約】【課題】外出時の締め出し防止を図りつつ、帰宅時において確実に自動施錠されるようにすることができる建物の施解錠システムを提供する。【解決手段】建物１０の玄関ドア１６には電気錠１７が設けられ、コントローラ２０は玄関ドア１６が閉状態とされた場合に電気錠１７を自動施錠する。また、コントローラ２０は、玄関ドア１６が閉状態とされた場合に、通信装置２１により電子キー２５からＩＤコード信号を受信したか否かを判定し、判定の結果、電子キー２５からＩＤコード信号を受信した場合には電気錠１７を施錠する一方、ＩＤコード信号を受信していない場合には電気錠１７を施錠せず解錠したままとする。また、コントローラ２０は、玄関ドア１６が開状態とされた場合に、通信装置２１により電子キー２５からＩＤコード信号を受信したか否かを判定し、判定の結果、ＩＤコード信号を受信した場合には、玄関ドア１６が閉状態とされた後電気錠１７を施錠する。【選択図】      図１
2018115447.tif 000002
【特許請求の範囲】
【請求項１】
ユーザにより携帯され、固有の識別情報を送信する電子キーと、
建物の出入口付近において屋外側に設けられ、その出入口付近の所定範囲を通信エリアとして前記電子キーとの間で無線通信可能とされている通信部と、
その通信部を通じて前記電子キーから受信した識別情報に基づいて、前記出入口を開閉する開閉体の施解錠を行う施錠装置と、
前記開閉体が閉状態とされた場合に前記施錠装置により前記開閉体を施錠する制御手段と、を備える建物の施解錠システムであって、
前記開閉体が閉状態とされた場合に、前記通信部を通じて前記電子キーから識別情報を受信したか否かを判定する第１受信判定手段を備え、
前記制御手段は、前記第１受信判定手段により前記電子キーから識別情報を受信したと判定されたことを条件に前記開閉体を施錠し、前記電子キーから識別情報を受信していないと判定された場合には前記開閉体が閉状態とされたにもかかわらず前記開閉体を施錠せず解錠したままとするよう前記施錠装置を制御し、
前記開閉体が開状態とされている場合に、前記通信部を通じて前記電子キーから識別情報を受信したか否かを判定する第２受信判定手段を備え、
前記制御手段は、前記第２受信判定手段により前記電子キーから識別情報を受信したと判定された場合には、前記開閉体が閉状態とされた後、前記開閉体を施錠するよう前記施錠装置を制御することを特徴とする建物の施解錠システム。
【請求項２】
前記開閉体の屋内側に人が存在することを検知する人検知手段と、
前記第２受信判定手段により前記電子キーから識別情報を受信したと判定され、かつ、前記開閉体が閉状態とされた場合に、前記人検知手段の検知結果に基づいて、前記開閉体の屋内側に人が存在するか否かを判定する判定手段と、を備え、
前記制御手段は、前記判定手段により前記開閉体の屋内側に人が存在すると判定された場合に、前記開閉体を施錠するよう前記施錠装置を制御することを特徴とする請求項１の建物の施解錠システム。
【請求項３】
前記通信部は、前記電子キーに識別情報の送信を要求するリクエスト信号を前記通信エリアに向けて送信し、
前記電子キーは、前記リクエスト信号を受信した場合に、その応答として前記識別情報を前記通信部に送信することを特徴とする請求項１又は２に記載の建物の施解錠システム。
【請求項４】
前記通信エリアは、その大部分が屋外側に拡がっていることを特徴とする請求項１乃至３のいずれか一項に記載の建物の施解錠システム。
【発明の詳細な説明】
【技術分野】
【０００１】
本発明は、建物の施解錠システムに関する。
【背景技術】
【０００２】
住宅等の建物では、無線機能を有する電子キーを用いてドアの施解錠を行う施解錠システムが実用化されている。例えば、特許文献１では、居住者が携帯する電子キーによる認証に基づいてドアの施解錠が実行されるシステムが開示されている。これによれば、電子キーを携帯した居住者が建物に入るためにドアに近づき、当該ドア付近に設けられた通信装置の通信エリア内に入ると、電子キーから発信される識別情報が通信装置により受信される。そして、建物側ではその識別情報に基づいて居住者であるか否かの認証が行われ、その認証により居住者であることが判定されるとドアが解錠されるようになっている。
【０００３】
また、電子キーを用いた上記の施解錠システムでは、居住者によりドアが閉められるとドアが自動で施錠されるオートロック式のシステムが採用されている場合がある。この場合、施錠操作することなくドアが施錠されるため、利便性の向上を図ることができる。
【先行技術文献】
【特許文献】
【０００４】
【特許文献１】特開２０１０−２８１０６０号公報
【発明の概要】
【発明が解決しようとする課題】
【０００５】
ところで、上述したオートロック式の施解錠システムでは、居住者が電子キーを携帯せずに建物の外に出た場合に、ドアが自動で施錠され居住者が屋外に締め出されてしまうおそれがある。そこで、かかる締め出しを防止するために、オートロック式の施解錠システムにおいて例えば以下のような処理を行うことが考えられる。
【０００６】
すなわち、居住者の外出時に、屋外に出た居住者によりドアが閉められると、通信装置より電子キーに識別情報の送信を要求するリクエスト信号が送信され、そのリクエスト信号が電子キーにより受信されると、電子キーから識別情報が送信されるようにする。そして、その識別情報が通信装置により受信されたか否かを判定し、判定の結果、識別情報が受信された場合には、屋外に出た居住者が電子キーを携帯しているとみなしてドアを施錠（自動施錠）する一方、電子キーから識別情報が受信されなかった場合には、屋外に出た居住者が電子キーを携帯していないとみなして、ドアが閉められたにもかかわらずドアを解錠したままとする。これによれば、居住者が電子キーを携帯せずに屋外に出た場合にはドアが施錠されないため、居住者が屋外に締め出されてしまうのを防止することができる。
【０００７】
ところで、上記の処理は、居住者が外出する場合だけでなく、居住者が帰宅する場合にも同様に実施されると考えられる。すなわち、居住者が帰宅して（建物内に入って）ドアが閉められた場合にも、通信装置からリクエスト信号が送信され、そのリクエスト信号が電子キーにより受信されると、その応答として電子キーから識別情報が送信される。そして、その識別情報が通信装置により受信されると、ドアの施錠（自動施錠）が行われると考えられる。
【０００８】
ここで、通信装置は、例えばドア付近における外壁の屋外側面に設けられると考えられる。この場合、通信装置の通信エリアは屋内外に跨がって拡がると考えられ、詳しくは外壁の影響により屋内側にはそれほど拡がらず、概ね屋外側に拡がると考えられる。そうすると、居住者の帰宅時に、居住者が建物内に入ってドアを閉めると、その時点で居住者が通信エリアの外に出てしまうことが想定され、そうなると、ドアを閉めた後に通信装置から送信されるリクエスト信号が居住者の所持する電子キーにより受信されなくなることが想定される。つまり、この場合には、居住者が電子キーを所持していても、その電子キーからはリクエスト信号の応答としての識別情報が送信されることはなく、その結果、その識別情報の受信に基づくドアの施錠についても行われることがない。したがって、外出時の締め出し防止を図るようにした上述の処理は、帰宅時においてドアが自動施錠されないという課題を有しており、この点で未だ改善の余地があるといえる。
【０００９】
本発明は、上記事情に鑑みてなされたものであり、外出時の締め出し防止を図りつつ、帰宅時において確実に自動施錠されるようにすることができる建物の施解錠システムを提供することを主たる目的とするものである。
【課題を解決するための手段】
【００１０】
上記課題を解決すべく、第１の発明の建物の施解錠システムは、ユーザにより携帯され、固有の識別情報を送信する電子キーと、建物の出入口付近において屋外側に設けられ、その出入口付近の所定範囲を通信エリアとして前記電子キーとの間で無線通信可能とされている通信部と、その通信部を通じて前記電子キーから受信した識別情報に基づいて、前記出入口を開閉する開閉体の施解錠を行う施錠装置と、前記開閉体が閉状態とされた場合に前記施錠装置により前記開閉体を施錠する制御手段と、を備える建物の施解錠システムであって、前記開閉体が閉状態とされた場合に、前記通信部を通じて前記電子キーから識別情報を受信したか否かを判定する第１受信判定手段を備え、前記制御手段は、前記第１受信判定手段により前記電子キーから識別情報を受信したと判定されたことを条件に前記開閉体を施錠し、前記電子キーから識別情報を受信していないと判定された場合には前記開閉体が閉状態とされたにもかかわらず前記開閉体を施錠せず解錠したままとするよう前記施錠装置を制御し、前記開閉体が開状態とされている場合に、前記通信部を通じて前記電子キーから識別情報を受信したか否かを判定する第２受信判定手段を備え、前記制御手段は、前記第２受信判定手段により前記電子キーから識別情報を受信したと判定された場合には、前記開閉体が閉状態とされた後、前記開閉体を施錠するよう前記施錠装置を制御することを特徴とする。
【００１１】
本発明の施解錠システムは、開閉体が閉状態とされた場合に開閉体が施錠装置により施錠（自動施錠）されるオートロック式の施解錠システムとなっている。そして、本発明では、こうしたオートロック式のシステムにおいて、外出するユーザにより開閉体が閉状態とされた場合に、通信部を通じて電子キーから識別情報が受信されたか否かが判定され、判定の結果、電子キーから識別情報が受信されたことを条件に、つまり外出するユーザが電子キーを携帯していることを条件に開閉体が施錠（自動施錠）されるようになっている。一方、電子キーから識別情報が受信されていない場合、つまり外出するユーザが電子キーを携帯していない場合には、開閉体が閉状態とされても開閉体が施錠（自動施錠）されず解錠されたままとなるようになっている。これにより、電子キーを携帯しないまま屋外に出た場合には、開閉体が施錠されないため、屋外に締め出されてしまうのを防止することができる。
【００１２】
また、こうした構成において、開閉体が開状態とされている場合に、通信部を通じて電子キーから識別情報が受信されたか否かが判定され、判定の結果、電子キーから識別情報が受信された場合には開閉体が閉状態とされた後、開閉体が施錠されるようになっている。これによれば、通信部が屋外側に設けられていることでその通信エリアが屋内側にさほど拡がっていない場合でも、ユーザが帰宅時に開閉体を開けて出入口を通過する際電子キーを携帯していれば、その電子キーからの識別情報が通信部により受信され開閉体が施錠される。そのため、外出時の締め出し防止を図りながら、帰宅時において確実に自動施錠されるようにすることができる。
【００１３】
第２の発明の建物の施解錠システムは、第１の発明において、前記開閉体の屋内側に人が存在することを検知する人検知手段と、前記第２受信判定手段により前記電子キーから識別情報を受信したと判定され、かつ、前記開閉体が閉状態とされた場合に、前記人検知手段の検知結果に基づいて、前記開閉体の屋内側に人が存在するか否かを判定する判定手段と、を備え、前記制御手段は、前記判定手段により前記開閉体の屋内側に人が存在すると判定された場合に、前記開閉体を施錠するよう前記施錠装置を制御することを特徴とする。
【００１４】
本発明によれば、ユーザが開閉体を開けて出入口を通過する際にユーザが携帯する電子キーから識別情報が受信され、かつ開閉体が閉状態とされた場合に、開閉体の屋内側に人が存在するか否かが判定される。そして、判定の結果、開閉体の屋内側に人が存在する場合に、ユーザが帰宅したものとみなして開閉体が施錠される。この場合、ユーザの帰宅時における自動施錠をより確実に行うことができる。
【００１５】
第３の発明の建物の施解錠システムは、第１又は第２の発明において、前記通信部は、前記電子キーに識別情報の送信を要求するリクエスト信号を前記通信エリアに向けて送信し、前記電子キーは、前記リクエスト信号を受信した場合に、その応答として前記識別情報を前記通信部に送信することを特徴とする。
【００１６】
本発明によれば、通信部よりその通信エリアに向けてリクエスト信号が送信され、そのリクエスト信号が電子キーにより受信されると、その応答として電子キーより識別情報が通信部に送信される。これにより、ユーザが帰宅時に開閉体を開いて出入口を通過する際、及び、ユーザが外出時に屋外に出て開閉体を閉めた後に、ユーザが電子キーを携帯していれば、その電子キーによりリクエスト信号が受信され、そして、その応答として電子キーからは識別情報が通信部に送信される。これにより、ユーザが帰宅時に開閉体を開いて出入口を通過する際、及びユーザが外出時に屋外に出て開閉体を閉めた際に、ユーザが電子キーを携帯しているか否かを具体的に判定することが可能となる。
【００１７】
第４の発明の建物の施解錠システムは、第１乃至第３のいずれかの発明において、前記通信エリアは、その大部分が屋外側に拡がっていることを特徴とする。
【００１８】
通信部が屋外側に設けられている構成では、外壁の影響により、その通信エリアが屋内側にはほとんど拡がらず、その通信エリアの大部分が屋外側に拡がっている場合がある。そのような場合には、ユーザの帰宅時にユーザが建物内に入って開閉体を閉めると、その時点でユーザが通信エリアの外に出てしまうことが想定される。そうなると、ユーザの帰宅時にユーザが電子キーを携帯していても、電子キーからの識別情報の受信に基づく開閉体の自動施錠が行われないことになってしまう。その点本発明では、そのような構成に上記第１の発明を適用しているため、かかる構成においても、帰宅時に確実に自動施錠されるようにすることができる。
【図面の簡単な説明】
【００１９】
【図１】玄関ドアにおける施解錠制御に関する構成を示す図。
【図２】制御処理の流れを示すフローチャート。
【発明を実施するための形態】
【００２０】
以下に、本発明を具体化した一実施の形態について図面を参照しつつ説明する。なお、図１は玄関ドアにおける施解錠制御に関する構成を示す図である。
【００２１】
図１に示すように、建物１０には、屋内スペースとして、玄関１１や廊下１２、居室１３等が設けられている。玄関１１は外壁１４により屋外と仕切られており、その外壁１４には、出入口としての玄関口１５が設けられている。この玄関口１５を通じて建物１０への出入りが可能となっている。また、玄関口１５には、開閉体としての玄関ドア１６が設けられている。玄関ドア１６は、例えば回動式の開き戸からなる。この玄関ドア１６により玄関口１５が開閉されるようになっている。なお、玄関ドア１６は、引き戸であってもよい。
【００２２】
玄関ドア１６には、施錠装置としての電気錠１７が設けられている。電気錠１７は、錠前を電気的に施解錠することで玄関ドア１６の施錠及び解錠（ロック及びアンロック）を行う装置である。電気錠１７は、居住者により携帯される電子キー２５により施解錠することが可能となっている。また、電気錠１７は、手動により錠前を施解錠するサムターン１７ａを屋内側（玄関１１側）に有している。このため、屋内側からはこのサムターン１７ａにより電気錠１７を施解錠することが可能となっている。また、電気錠１７は、いわゆるオートロック機能を有しており、玄関ドア１６が閉められると自動施錠される（オートロックされる）ようになっている。なお、電気錠１７は、玄関ドア１６の上下に複数（例えば２個）設けられていてもよい。
【００２３】
続いて、電気錠１７の施解錠を行う施解錠システムについて説明する。
【００２４】
施解錠システムは、制御手段としてのコントローラ２０と、通信部としての通信装置２１とを備える。コントローラ２０は、本施解錠システムにおいて電気錠１７の施解錠制御を行うものである。コントローラ２０は、ＣＰＵ等を有する周知のマイクロコンピュータを備えて構成され、例えば玄関１１の壁面に設けられている。また、コントローラ２０は、識別情報としてのＩＤコード情報を記憶するＩＤコード記憶部２０ａを有している。
【００２５】
通信装置２１は、ユーザが携帯する電子キー２５との間で無線通信を行うものである。通信装置２１は、コントローラ２０と接続され、例えば玄関ドア１６付近における外壁１４の外面（屋外側面）に設けられている。通信装置２１は、その通信エリアが同装置２１から全方位に向けて拡がっており、その通信エリア内において電子キー２５と通信可能とされている。この場合、コントローラ２０は、通信装置２１を介して電子キー２５と通信可能とされている。
【００２６】
図１には、通信装置２１の通信エリアを一点鎖線の枠で示している。通信装置２１の通信エリアは、玄関口１５を含んで屋内外に跨がっている。詳しくは、通信装置２１の通信エリアは、外壁１４の影響で、屋外側には大きく拡がっているものの屋内側にはほとんど拡がっていない。したがって、通信装置２１の通信エリアはその大部分が屋外側に拡がっている。
【００２７】
電子キー２５には、当該電子キー２５固有のＩＤコードがあらかじめ記憶されている。このＩＤコードはＩＤコード記憶部２０ａに記憶されたＩＤコード情報に対応したものとなっている。また、電子キー２５には、解除操作可能な操作部２５ａが設けられている。通信装置２１の通信エリア内で操作部２５ａにより解錠操作がされると、電子キー２５からＩＤコード信号が通信装置２１に送信される。そして、このＩＤコード信号が通信装置２１により受信されると、同信号が通信装置２１からコントローラ２０に入力される。
【００２８】
コントローラ２０は、電子キー２５から通信装置２１を介してＩＤコード信号が入力されると、そのＩＤコードの認証を行う。具体的には、コントローラ２０は、入力されたＩＤコード信号がＩＤコード記憶部２０ａに記憶されているＩＤコードと一致するか否かを判定する。
【００２９】
コントローラ２０には、電気錠１７が接続されている。コントローラ２０は、上記認証結果に基づいて、電気錠１７による玄関ドア１６の施解錠を実施する。
【００３０】
本施解錠システムは、さらに、開閉検知手段としての開閉検知センサ２２と、人検知手段としての人検知センサ２３とを備える。開閉検知センサ２２は、玄関ドア１６の開閉を検知するセンサであり、例えば玄関ドア１６に設けられている。開閉検知センサ２２はコントローラ２０と接続されており、コントローラ２０には、開閉検知センサ２２から逐次検知結果が入力される。コントローラ２０は、その開閉検知センサ２２からの検知結果に基づいて、玄関ドア１６の開閉状態を判定し、玄関ドア１６が閉状態とされた場合に、電気錠１７による玄関ドア１６の施錠を実施する。これにより、玄関ドア１６が閉められた場合には、玄関ドア１６が自動で施錠（オートロック）されるようになっている。
【００３１】
人検知センサ２３は、玄関１１に人がいることを検知するセンサであり、例えば玄関１１の天井に設けられている。人検知センサ２３はコントローラ２０と接続されており、コントローラ２０には、人検知センサ２３から逐次検知結果が入力される。コントローラ２０は、その人検知センサ２３からの検知結果に基づいて、電気錠１７による玄関ドア１６の施解錠を実施する。
【００３２】
次に、コントローラ２０により実行される制御処理の内容について図２に基づいて説明する。図２は、制御処理の流れを示すフローチャートである。なお、本処理は、所定の周期で繰り返し実行される。
【００３３】
図２に示すように、まずステップＳ１１では、開閉検知センサ２２からの検知結果に基づいて、玄関ドア１６が開状態とされているか否かを判定する。玄関ドア１６が閉状態とされている場合には本処理を終了し、玄関ドア１６が開状態とされている場合、つまり居住者が外出又は帰宅すべく玄関ドア１６が開かれている場合にはステップＳ１２に進む。
【００３４】
ステップＳ１２では、通信装置２１より同装置２１の通信エリアにリクエスト信号を送信する。リクエスト信号は電子キー２５にＩＤコード信号の送信を要求する信号であり、このリクエスト信号が電子キー２５により受信されると、電子キー２５はその応答としてＩＤコード信号を送信する。続くステップＳ１３では、電子キー２５から送信されるＩＤコード信号を通信装置２１を通じて受信したか否かを判定する。電子キー２５からＩＤコード信号を受信していない場合にはステップＳ１５に進み、電子キー２５からＩＤコード信号を受信した場合にはステップＳ１４に進む。
【００３５】
ステップＳ１４では、電子キー２５より受信したＩＤコード信号がＩＤコード記憶部２０ａに記憶されているＩＤコードと一致しているか否かを認証（判定）する。電子キー２５からのＩＤコード信号がＩＤコード記憶部２０ａに記憶されているＩＤコードと一致している場合（すなわち認証ＯＫの場合）にはステップＳ２２に進む。この場合、居住者が電子キー２５を携帯した状態で外出又は帰宅しようとしているとみなすことができる。なお、ステップＳ１３及びＳ１４の処理が第２受信判定手段に相当する。
【００３６】
一方、電子キー２５からのＩＤコード信号がＩＤコード記憶部２０ａに記憶されているＩＤコードと一致していない場合（すなわち認証ＮＧの場合）には、ステップＳ１５に進み、開閉検知センサ２２からの検知結果に基づいて、開状態とされていた玄関ドア１６が閉められたか否かを判定する。玄関ドア１６が閉められた場合にはステップＳ１６に進む。一方、玄関ドア１６が閉められていない場合にはステップＳ１２に戻り、玄関ドア１６が閉められるまでステップＳ１２〜Ｓ１５の処理を繰り返す。したがって、玄関ドア１６の開放中には、通信装置２１より繰り返しリクエスト信号が送信される。なお、玄関ドア１６の開放中に１回だけリクエスト信号が送信されるようにしてもよい。
【００３７】
ステップＳ１６では、タイマをセットし、タイマによる計時を開始する。ステップＳ１７では、通信装置２１より同装置２１の通信エリアにリクエスト信号を送信する。ステップＳ１８では、リクエスト信号の応答として電子キー２５から送信されるＩＤコード信号を通信装置２１を通じて受信したか否かを判定する。電子キー２５からＩＤコード信号を受信していない場合にはステップＳ２０に進み、ＩＤコード信号を受信した場合にはステップＳ１９に進む。
【００３８】
ステップＳ１９では、電子キー２５より受信したＩＤコード信号がＩＤコード記憶部２０ａに記憶されているＩＤコードと一致しているか否かを認証（判定）する。電子キー２５からのＩＤコード信号がＩＤコード記憶部２０ａに記憶されているＩＤコードと一致している場合（認証ＯＫの場合）にはステップＳ２４に進む。この場合、居住者が電子キー２５を携帯した状態で屋外に出た（外出した）とみなすことができる。なお、ステップＳ１８及びＳ１９の処理が第１受信判定手段に相当する。
【００３９】
ステップＳ２４では、電気錠１７に施錠信号を出力することで、同電気錠１７により玄関ドア１６を施錠する施錠処理を行う。これにより、居住者が電子キー２５を携帯して屋外に出た場合には玄関ドア１６が自動施錠（オートロック）される。その後、本処理を終了する。
【００４０】
ステップＳ１９において、電子キー２５からのＩＤコード信号が認証ＮＧであった場合には、ステップＳ２０に進み、タイマによる計時開始からの経過時間が所定時間を超えたか否かを判定する。つまり、ここでは、玄関ドア１６が閉められて（閉状態とされて）から所定時間が経過したか否かを判定する。所定時間は、例えば３秒程度に設定されている。玄関ドア１６が閉められてから所定時間が経過した場合にはステップＳ２１に進む。この場合、居住者が電子キー２５を不携帯のまま屋外に出たとみなすことができる。一方、玄関ドア１６が閉められてから所定時間が経過していない場合にはステップＳ１７に戻り、所定時間が経過するまでステップＳ１７〜Ｓ２０の各処理を繰り返す。したがって、玄関ドア１６が閉められてから所定時間が経過するまでの間は、通信装置２１より繰り返しリクエスト信号が送信される。なお、玄関ドア１６が閉状態とされた後、１回だけリクエスト信号が送信されるようにしてもよい。
【００４１】
ステップＳ２１では、電気錠１７に解錠信号を出力することで、同電気錠１７により玄関ドア１６を解錠する解錠処理を行う。これにより、居住者が電子キー２５を不携帯のまま屋外に出た場合には玄関ドア１６が自動施錠（オートロック）されず、解錠されたままとなる。このため、居住者は建物１０内に電子キー２５を取りに戻ることが可能となる。その後、本処理を終了する。
【００４２】
先述したステップＳ１４において、玄関ドア１６の開放中に電子キー２５から受信したＩＤコード信号が認証ＯＫである場合には、上述したように、居住者が電子キー２５を携帯した状態で外出又は帰宅しようとしているとみなすことができる。この場合、ステップＳ２２に進んで、玄関ドア１６が閉められたか否かを判定する。そして、玄関ドア１６が閉められた場合にはステップＳ２３に進み、玄関ドア１６が閉められていない場合には玄関ドア１６が閉められるまで本ステップＳ２２を繰り返す。
【００４３】
ステップＳ２３では、人検知センサ２３からの検知結果に基づいて、玄関１１に居住者がいるか否かを判定する。玄関１１に居住者がいない場合、つまり居住者が屋外に出た（外出した）場合にはステップＳ１６に進む。一方、玄関１１に居住者がいる場合、つまり居住者が帰宅した場合にはステップＳ２４に進み、玄関ドア１６の施錠処理を行う。これにより、居住者が電子キー２５を携帯して帰宅した場合には、玄関ドア１６が自動施錠（オートロック）される。その後、本処理を終了する。
【００４４】
以上、詳述した本実施形態の構成によれば、以下の優れた効果が得られる。
【００４５】
玄関ドア１６が閉状態とされた場合に、電気錠１７により玄関ドア１６を自動施錠するオートロック式の施解錠システムにおいて、玄関ドア１６が閉状態とされた場合に、通信装置２１を通じて電子キー２５からＩＤコード信号を受信したか否かを判定し、判定の結果、電子キー２５からＩＤコード信号を受信した場合には玄関ドア１６を施錠（自動施錠）する一方、ＩＤコード信号を受信していない場合には玄関ドア１６が閉状態とされても玄関ドア１６を施錠（自動施錠）せず解錠したままとするよう電気錠１７を制御した。この場合、居住者が電子キー２５を携帯しないまま屋外に出た場合には、玄関ドア１６が施錠されないため、外出時に屋外に締め出されてしまうのを防止することができる。
【００４６】
また、こうした構成において、玄関ドア１６が開状態とされている場合に、通信装置２１を通じて電子キー２５からＩＤコード信号を受信したか否かを判定し、判定の結果、電子キー２５からＩＤコード信号を受信した場合には玄関ドア１６が閉状態とされた後、玄関ドア１６を施錠するようにした。これによれば、通信装置２１が屋外側に設けられていることでその通信エリアが屋内側にさほど拡がっていない場合でも、居住者が帰宅時に玄関ドア１６を開けて玄関口１５を通過する際電子キー２５を携帯していれば、その電子キー２５からのＩＤコード信号が通信装置２１により受信され玄関ドア１６が施錠される。そのため、外出時の締め出し防止を図りながら、帰宅時において確実に玄関ドア１６が自動施錠されるようにすることができる。
【００４７】
玄関ドア１６が開状態とされている場合に通信装置２１を通じて電子キー２５からＩＤコード信号を受信したことを判定し、かつ玄関ドア１６が閉状態とされた場合に、人検知センサ２３からの検知結果に基づいて、玄関１１（玄関ドア１６の屋内側）に人が存在するか否かを判定するようにした。この場合、居住者が玄関ドア１６を開けて玄関口１５を通過する際に居住者が携帯する電子キー２５からＩＤコード信号が受信され、かつ、その後玄関ドア１６が閉められた場合に、玄関１１における人の有無が判定される。そして、その判定の結果、玄関１１に人が存在する場合に、居住者が帰宅したものとみなして玄関ドア１６を施錠（自動施錠）するようにした。この場合、居住者の帰宅時における玄関ドア１６の自動施錠をより確実に行うことができる。
【００４８】
通信装置２１より同装置２１の通信エリアに向けてリクエスト信号を送信し、そのリクエスト信号が電子キー２５により受信されると、その応答として電子キー２５よりＩＤコード信号が通信装置２１に送信されるようにした。これにより、居住者が帰宅時に玄関ドア１６を開いて玄関口１５を通過する際、及び、居住者が外出時に屋外に出て玄関ドア１６を閉めた後に、居住者が電子キー２５を携帯していれば、その電子キー２５によりリクエスト信号が受信され、そして、その応答として電子キー２５からはＩＤコード信号が通信装置２１に送信される。これにより、居住者が帰宅時に玄関ドア１６を開いて玄関口１５を通過する際、及び居住者が外出時に屋外に出て玄関ドア１６を閉めた際に、居住者が電子キー２５を携帯しているか否かを具体的に判定することが可能となる。
【００４９】
通信装置２１が外壁１４の屋外側に設けられている構成では、外壁１４の影響により、通信装置２１の通信エリアが屋内側にはほとんど拡がらず、通信エリアの大部分が屋外側に拡がっている場合がある。そのような場合には、居住者の帰宅時に居住者が玄関１１に入って玄関ドア１６を閉めると、その時点で居住者が通信エリアの外に出てしまうことが想定される。そうなると、居住者の帰宅時に居住者が電子キー２５を携帯していても、電子キー２５からのＩＤコード信号の受信に基づく玄関ドア１６の自動施錠が行われないことになってしまう。その点上記の実施形態では、そのような構成に本発明を適用しているため、かかる場合でも、帰宅時において確実に玄関ドア１６が自動施錠されるようにすることができる。
【００５０】
本発明は上記実施形態に限らず、例えば次のように実施されてもよい。
【００５１】
・玄関ドア１６が閉状態とされた場合に、通信装置２１を通じて電子キー２５からＩＤコード情報を受信しなかった場合、つまり屋外に出る居住者が電子キー２５を携帯していない場合に、その居住者が電子キー２５を不携帯である旨を報知装置により報知するようにしてもよい。この場合、居住者は電子キー２５を携帯し忘れたことに確実に気づくことができるため、電子キー２５を建物１０内に取りに戻ることが可能となる。なお、この場合、報知装置としては、例えば「電子キーを携帯し忘れています」等の音声を出力することで報知を行う音声出力機器や、光を発することで報知を行う発光機器等が考えられる。
【００５２】
・上記実施形態では、玄関ドア１６の施解錠に本発明の施解錠システムを適用したが、建物１０におけるその他のドア、例えば勝手口のドア等に本発明の施解錠システムを適用してもよい。
【符号の説明】
【００５３】
１０…建物、１５…出入口としての玄関口、１６…開閉体としての玄関ドア、１７…施錠装置としての電気錠、２０…制御手段としてのコントローラ、２１…通信部としての通信装置、２３…人検知手段としての人検知センサ、２５…電子キー。
【図１】
2018115447.tif 000003
【図２】
2018115447.tif 000004